(57)【要約】【課題】作業効率が向上し、設定ミスを軽減させることができるＸ線撮影装置を提供することを目的とする。【解決手段】Ｘ線撮影装置１は、撮影部位を維持した状態で撮影メニューと別の術式がプリセットされた別の撮影メニューへの変更を指示する撮影メニュー変更ボタン４７を備えている。別の撮影メニューへの変更が指示されると、制御部２８は、撮影メニュー操作画面３９に表示されている全ての撮影メニューそれぞれに対して、別の撮影メニューに変更する。そのため、撮影メニューを変更する場合、撮影メニュー内の設定を手動で変更せずに、全ての撮影メニューそれぞれに対して、プリセットされた別の撮影メニューに変更するので、変更が容易である。また、撮影メニュー内の各設定を手動で変更しないので、その際に生じる設定ミスを軽減できる。したがって、作業効率が向上し、設定ミスを軽減させることができる。【選択図】図１
2015019844.tif 000002
【特許請求の範囲】
【請求項１】
被検体にＸ線を照射する１つ以上のＸ線照射部と、
被検体を透過したＸ線を検出する複数のＸ線検出器と、
前記Ｘ線照射部と前記Ｘ線検出器との組合せを示す術式がプリセットされた１つ以上の撮影メニューを検査ごとに登録する撮影メニュー登録部と、
前記撮影メニューを表示して操作する撮影メニュー操作画面を表示する表示部と、
撮影部位を維持した状態で前記撮影メニューと別の術式がプリセットされた別の撮影メニューへの変更を指示する撮影メニュー変更ボタンと、
前記撮影メニュー変更ボタンにより前記別の撮影メニューへの変更が指示されると、前記撮影メニュー操作画面に表示されている全ての撮影メニューそれぞれに対して、別の撮影メニューに変更する変更制御部と、
を備えていることを特徴とするＸ線撮影装置。
【請求項２】
請求項１に記載のＸ線撮影装置において、
撮影部位を維持した状態で前記撮影メニューと別の術式がプリセットされた別の撮影メニューを記憶する撮影メニュー記憶部を備え、
変更制御部は、前記撮影メニュー記憶部に記憶された別の撮影メニューに変更することを特徴とするＸ線撮影装置。
【請求項３】
請求項２に記載のＸ線撮影装置において、
前記変更制御部は、変換テーブルを用いて、前記撮影メニュー記憶部に記憶された別の撮影メニューに変更することを特徴とするＸ線撮影装置。
【請求項４】
請求項１から３のいずれかに記載のＸ線撮影装置において、
前記撮影メニュー変更ボタンは、前記撮影メニューが表示される前記撮影メニュー操作画面に設けられることを特徴とするＸ線撮影装置。
【請求項５】
請求項４に記載のＸ線撮影装置において、
前記撮影メニュー変更ボタンは、前記別の撮影メニューに変更された場合、撮影メニュー操作画面から消去されることを特徴とするＸ線撮影装置。
【請求項６】
請求項１から５のいずれかに記載のＸ線撮影装置において、
前記撮影メニュー変更ボタンは、臥位撮影用の撮影メニューへの変更を指示する臥位撮影ボタンであることを特徴とするＸ線撮影装置。
【請求項７】
請求項１から６のいずれかに記載のＸ線撮影装置において、
前記撮影メニュー変更ボタンは、車椅子撮影用の撮影メニューへの変更を指示する車椅子撮影ボタンであり、前記車椅子撮影用の撮影メニューの術式は、前記Ｘ線照射部と、持ち運び可能なポータブルＸ線検出器との組合せであることを特徴とするＸ線撮影装置。
【請求項８】
請求項１から７のいずれかに記載のＸ線撮影装置において、
前記撮影メニュー変更ボタンは、ストレッチャー撮影用の撮影メニューへの変更を指示するストレッチャー撮影ボタンであり、前記ストレッチャー撮影用の撮影メニューの術式は、前記Ｘ線照射部と、持ち運び可能なポータブルＸ線検出器との組合せであることを特徴とするＸ線撮影装置。
【請求項９】
請求項１から８のいずれかに記載のＸ線撮影装置において、
前記撮影メニュー変更ボタンは、立位撮影用の撮影メニューへの変更を指示する立位撮影ボタンであることを特徴とするＸ線撮影装置。
【発明の詳細な説明】
【技術分野】
【０００１】
本発明は、被検体に向けてＸ線を照射し、被検体を透過したＸ線を検出してＸ線画像を取得する医用のＸ線撮影装置に関する。
【背景技術】
【０００２】
Ｘ線撮影装置は、被検体（患者）に向けてＸ線を照射するＸ線管と、被検体を透過したＸ線を検出するＸ線検出器とを備えている。Ｘ線管は、例えば天井に移動可能に設けられたＸ線管支持部に取り付けられる。一方、Ｘ線検出器は、立位の被検体を撮影するために立位スタンドに設けられ、また、臥位の被検体を撮影するためにベッドに設けられる。
【０００３】
このようなＸ線撮影装置においては、通常、検査を開始する前に、その検査でどのような撮影を実施するかについての検査オーダーを登録する。検査オーダーには、患者情報、検査情報、撮影情報が含まれる。図９を参照する。例えば、医師が、被検体の胸腹部の検査（撮影）をＨＩＳ（病院情報システム：Hospital Information System）に依頼する。依頼された胸腹部の検査オーダーは、放射線科のＲＩＳ（放射線情報システム：Radiology Information System）に転送される。ＲＩＳは、複数の装置のうち、所定のＸ線撮影装置に検査オーダーを振り分けて転送する。転送された検査オーダーは、Ｘ線撮影装置の記憶部に登録される（例えば特許文献１または２参照）。
【０００４】
また、Ｘ線撮影装置では、胸腹部の検査オーダーが登録されるとともに、Ｘ線撮影装置の操作を経て、図１０に示すような、撮影メニュー操作画面１３９が表示部に表示される。胸腹部の検査の場合は、例えば、「立位胸部ＰＡ撮影」、「立位胸部側面撮影」、「立位腹部ＡＰ撮影」の撮影メニューが表示される。なお、これらの撮影メニューは、検査オーダーの撮影情報に含まれる。撮影メニューは、撮影部位・撮影方向の名称で撮影メニュー操作画面１３９に表示されるので、操作者はどのような撮影を行うのかを識別することができる。また、撮影メニューは、術式、撮影方向、撮影距離、Ｘ線照射（曝射）条件、コリメータの照射野、画像処理などの情報を保持している。そして、Ｘ線撮影装置におけるＸ線管保持部、コリメータ、および高電圧発生部等と連動し、自動設定を行うことができるようになっている。また、撮影メニューは、追加、変更、削除をすることができるようになっている。これらにより、操作者は、撮影メニューを選択するだけで、撮影メニュー内の個々の設定をすることなくＸ線撮影ができるようになっている。
【先行技術文献】
【特許文献】
【０００５】
【特許文献１】特開２０１０−２２０８１７号公報
【特許文献２】特開２０００−１６６９０８号公報
【発明の概要】
【発明が解決しようとする課題】
【０００６】
しかしながら、このような構成を有する従来例の場合には、次のような問題がある。すなわち、従来のＸ線撮影装置は、通常、胸腹部の撮影を立位の被検体に対して行っている。そのため、図１０に示すように、Ｘ線撮影装置には、立位の術式が設定されている。しかしながら、被検体の状態によっては、立位の術式での撮影が困難なため、別の術式に変更しなければならないことがある。例えば、被検体が起立困難な場合は、立位の術式では撮影できないので、臥位の術式に変更しなければならない。また、車椅子やストレッチャーを使用する被検体の場合は、持ち運び可能でかつ単体で構成されるＸ線検出器を用いた術式（ポータブル撮影術式）に変更しなければならない。また、例えば、胸部正面撮影の場合には、被検体の後方から前方にＸ線を透過して撮影するＰＡ（後前）撮影から、被検体の前方から後方にＸ線を透過して撮影するＡＰ（前後）撮影に変更しなければならないこともある。このような場合には、操作者は、撮影を行うごとに、撮影メニューを臥位の術式やポータブル撮影術式の術式、撮影方向、撮影距離、Ｘ線照射（曝射）条件、コリメータの照射野および画像処理などの各設定を手動で設定し直さなければならない。そのため、操作者の負担が大きくなる。また、撮影メニュー内の各設定を手動で設定し直すことによる設定ミスが生じるおそれがある。
【０００７】
本発明は、このような事情に鑑みてなされたものであって、作業効率が向上し、設定ミスを軽減させることができるＸ線撮影装置を提供することを目的とする。
【課題を解決するための手段】
【０００８】
本発明は、このような目的を達成するために、次のような構成をとる。すなわち、本発明に係るＸ線撮影装置は、被検体にＸ線を照射する１つ以上のＸ線照射部と、被検体を透過したＸ線を検出する複数のＸ線検出器と、前記Ｘ線照射部と前記Ｘ線検出器との組合せを示す術式がプリセットされた１つ以上の撮影メニューを検査ごとに登録する撮影メニュー登録部と、前記撮影メニューを表示して操作する撮影メニュー操作画面を表示する表示部と、撮影部位を維持した状態で前記撮影メニューと別の術式がプリセットされた別の撮影メニューへの変更を指示する撮影メニュー変更ボタンと、前記撮影メニュー変更ボタンにより前記別の撮影メニューへの変更が指示されると、前記撮影メニュー操作画面に表示されている全ての撮影メニューそれぞれに対して、別の撮影メニューに変更する変更制御部と、を備えていることを特徴とするものである。
ものである。
【０００９】
本発明に係るＸ線撮影装置によれば、撮影メニュー登録部には、Ｘ線照射部とＸ線検出器との組合せを示す術式がプリセットされた１つ以上の撮影メニューが検査ごとに登録される。表示部には、撮影メニューを表示して操作する撮影メニュー操作画面が表示される。撮影メニュー変更ボタンは、撮影部位を維持した状態で撮影メニューと別の術式がプリセットされた別の撮影メニューへの変更を指示する。撮影メニュー変更ボタンにより別の撮影メニューへの変更が指示されると、変更制御部は、撮影メニュー操作画面に表示されている全ての撮影メニューそれぞれに対して、別の撮影メニューに変更する。
【００１０】
すなわち、撮影部位を維持した状態で撮影メニューと別の術式がプリセットされた別の撮影メニューへの変更を指示する撮影メニュー変更ボタンを備えている。撮影メニュー変更ボタンにより別の撮影メニューへの変更が指示されると、変更制御部は、撮影メニュー操作画面に表示されている全ての撮影メニューそれぞれに対して、別の撮影メニューに変更する。そのため、撮影メニューを変更する場合、撮影メニュー内の設定を手動で変更せずに、全ての撮影メニューそれぞれに対して、プリセットされた別の撮影メニューに変更するので、変更が容易である。また、撮影メニュー内の各設定を手動で変更しないので、その際に生じる設定ミスを軽減させることができる。したがって、作業効率が向上し、設定ミスを軽減させることができる。
【００１１】
また、本発明に係るＸ線撮影装置において、撮影部位を維持した状態で前記撮影メニューと別の術式がプリセットされた別の撮影メニューを記憶する撮影メニュー記憶部を備え、変更制御部は、前記撮影メニュー記憶部に記憶された別の撮影メニューに変更することが好ましい。これにより、変更制御部は、全ての撮影メニューに対して、それぞれに対応する撮影メニュー記憶部に記憶されたプリセットされた別の撮影メニューに変更することができる。
【００１２】
また、本発明に係るＸ線撮影装置において、前記変更制御部は、変換テーブルを用いて、前記撮影メニュー記憶部に記憶された別の撮影メニューに変更することが好ましい。これにより、変更制御部は、変換テーブルを用いて、全ての撮影メニューそれぞれに対して、撮影メニュー記憶部に記憶された別の撮影メニューに変更することができる。
【００１３】
また、本発明に係るＸ線撮影装置において、前記撮影メニュー変更ボタンは、前記撮影メニューが表示される前記撮影メニュー操作画面に設けられることが好ましい。撮影メニュー操作画面に撮影メニュー変更ボタンが設けられているので、撮影メニューの変更前後の状態を確認しながら行うことができ、撮影メニュー操作画面以外での操作による誤操作を抑えることができる。
【００１４】
また、本発明に係るＸ線撮影装置において、前記撮影メニュー変更ボタンの一例は、前記別の撮影メニューに変更された場合、撮影メニュー操作画面から消去されることである。これにより、別の撮影メニューに変更された後に、撮影メニュー変更ボタンを操作してしまうことによる設定ミスを防ぐことができる。
【００１５】
また、本発明に係るＸ線撮影装置において、前記撮影変更ボタンの一例は、臥位撮影用の撮影メニューへの変更を指示する臥位撮影ボタンであることである。これにより、臥位撮影用の撮影メニューへの変更を指示することができる。
【００１６】
また、本発明に係るＸ線撮影装置において、前記撮影変更ボタンの一例は、車椅子撮影用の撮影メニューへの変更を指示する車椅子撮影ボタンであり、前記車椅子撮影用の撮影メニューの術式は、前記Ｘ線照射部と、持ち運び可能なポータブルＸ線検出器との組合せであることである。これにより、車椅子撮影用の撮影メニューへの変更を指示することができ、Ｘ線照射部とポータブルＸ線検出器との組合せの術式である車椅子撮影用の撮影メニューに変更することができる。
【００１７】
また、本発明に係るＸ線撮影装置において、前記撮影変更ボタンの一例は、ストレッチャー撮影用の撮影メニューへの変更を指示するストレッチャー撮影ボタンであり、前記ストレッチャー撮影用の撮影メニューの術式は、前記Ｘ線照射部と、持ち運び可能なポータブルＸ線検出器との組合せであることである。これにより、ストレッチャー撮影用の撮影メニューへの変更を指示することができ、Ｘ線照射部とポータブルＸ線検出器との組合せの術式であるストレッチャー撮影用の撮影メニューに変更することができる。
【００１８】
また、本発明に係るＸ線撮影装置において、前記撮影変更ボタンの一例は、前記撮影メニュー変更ボタンは、立位撮影用の撮影メニューへの変更を指示する立位撮影ボタンであることである。これにより、立位撮影用の撮影メニューへの変更を指示することができる。
【発明の効果】
【００１９】
本発明に係るＸ線撮影装置によれば、撮影部位を維持した状態で撮影メニューと別の術式がプリセットされた別の撮影メニューへの変更を指示する撮影メニュー変更ボタンを備えている。撮影メニュー変更ボタンにより別の撮影メニューへの変更が指示されると、変更制御部は、撮影メニュー操作画面に表示されている全ての撮影メニューそれぞれに対して、別の撮影メニューに変更する。そのため、撮影メニューを変更する場合、撮影メニュー内の設定を手動で変更せずに、全ての撮影メニューそれぞれに対して、プリセットされた別の撮影メニューに変更するので、変更が容易である。また、撮影メニュー内の各設定を手動で変更しないので、その際に生じる設定ミスを軽減させることができる。したがって、作業効率が向上し、設定ミスを軽減させることができる。
【図面の簡単な説明】
【００２０】
【図１】実施例に係るＸ線撮影装置の構成を示すブロック図である。
【図２】車椅子撮影の説明に供する図である。
【図３】（ａ）は撮影メニュー変更前の撮影メニュー操作画面の一例を示す図であり、（ｂ）は撮影メニュー変更後の撮影メニュー操作画面の一例を示す図である。
【図４】変換テーブルの一例を示す図である。
【図５】Ｘ線撮影装置の動作を示すフローチャートである。
【図６】効果の説明に供する図である。
【図７】（ａ）はストレッチャー撮影の説明に供する図であり、（ｂ）は撮影メニュー変更前の撮影メニュー操作画面の一例を示す図である。
【図８】変形例に係る撮影メニュー変更後の撮影メニュー操作画面の一例を示す図である。
【図９】従来の検査オーダーの流れの説明に供する図である。
【図１０】従来の撮影メニュー操作画面の一例を示す図である。
【実施例】
【００２１】
以下、図面を参照して本発明の実施例を説明する。図１は、実施例に係るＸ線撮影装置の構成を示すブロック図であり、図２は、車椅子撮影の説明に供する図である。図３（ａ）は撮影メニュー変更前の撮影メニュー操作画面の一例を示す図であり、図３（ｂ）は撮影メニュー変更後の撮影メニュー操作画面の一例を示す図である。図４は、変換テーブルの一例を示す図である。
【００２２】
図１を参照する。Ｘ線撮影装置１は、被検体Ｍに向けてＸ線を照射するＸ線管２と、Ｘ線管２を支持するＸ線管支持部３とを備えている。Ｘ線管２のＸ線照射口には、Ｘ線の照射野を調整するコリメータ４が設けられている。
【００２３】
Ｘ線管２は、Ｘ線管制御部５によりＸ線照射に必要な制御が実行される。Ｘ線管制御部５は、Ｘ線管２の管電圧や管電流を発生させる高電圧発生部６を有している。Ｘ線管制御部５は、管電圧や管電流や照射時間等のＸ線照射（曝射）条件に応じてＸ線管２からＸ線を照射する。
【００２４】
Ｘ線管支持部３は、天井に設けられたレール８と、レール８に沿って移動可能に支持されたキャリッジ部９と、キャリッジ部９の下部に回転可能に設けられ、上下（Ｚ）方向に伸縮可能な伸縮支柱１０とを備えている。Ｘ線管２は、伸縮支柱１０に設けられた取付ブロック１１に回転可能に取り付けられている。このようなＸ線管支持部３によって、Ｘ線管２は、水平（ＸＹ）方向および垂直（Ｚ）方向に移動することができ、また、軸Ａおよび軸Ｂを中心に回転することができる。これら移動や回転は、モーターおよびギヤ機構等で構成される図示しない駆動部で行われる。
【００２５】
また、Ｘ線撮影装置１は、被検体Ｍを透過したＸ線を検出するフラットパネル型Ｘ線検出器（以下適宜「ＦＰＤ」と略す）１３，１４，１５と、ＦＰＤ１３を備えて立位の被検体Ｍを撮影するための立位スタンド１６と、ＦＰＤ１４を備えて臥位の被検体Ｍを撮影するためのベッド装置１７とを備えている。なお、Ｘ線管２は、本発明におけるＸ線照射部に相当し、ＦＰＤ１３，１４，１５は、本発明におけるＸ線検出器に相当する。
【００２６】
ＦＰＤ１３，１４，１５は、検出対象の透過Ｘ線像が投影されるＸ線検出面にＸ線を電気信号に変換して検出する多数のＸ線検出素子が横・縦の２次元マトリックス状に配列されている。Ｘ線検出素子の配列マトリックスとしては、例えば横：数千×縦：数千が挙げられる。Ｘ線検出素子はＸ線が直に電気信号に変換される直接変換タイプであっても、Ｘ線がいったん光に変換されてから更に電気信号に変換される間接変換タイプであってもよい。
【００２７】
立位スタンド１６は、ＦＰＤ１３を支持するとともに床面に固定された支柱部１８を備えており、ＦＰＤ１３は、支柱部１８に沿って垂直（Ｚ）方向に移動可能に設けられている。また、ベッド装置１７は、被検体Ｍを載置する天板１９と、ＦＰＤ１４および天板１９を支持するとともに床面に固定された基台２０とを備えている。ＦＰＤ１４は、天板１９に沿って水平（ＸＹ）方向に移動可能に基台２０に設けられている。ＦＰＤ１３，１４の移動は、モーターおよびギヤ機構等で構成される図示しない駆動部で行われる。
【００２８】
ＦＰＤ１３，１４の後段には、順番にＡ／Ｄ変換器２２，２３と画像処理部２４と主制御部２５が設けられている。Ａ／Ｄ変換器２２，２３は、ＦＰＤ１３，１４から出力されたアナログのＸ線検出信号をそれぞれデジタル信号に変換する。画像処理部２４は、デジタル変換されたＸ線検出信号（Ｘ線画像）に対して種々の処理を行う。主制御部２５は、Ｘ線撮影装置１の各構成を統括的に制御し、中央演算処理装置（ＣＰＵ）などで構成される。主制御部２５は、例えば、Ｘ線管２またはＦＰＤ１３，１４を移動させる制御を行う。
【００２９】
また、ＦＰＤ１５は、例えば立位スタンド１６やベッド装置１７と一体となっておらず単体で、かつ持ち運び可能に構成される。ＦＰＤ１５は、図示しないＡ／Ｄ変換器を備えており、デジタル変換されたＸ線検出信号を出力する。Ｘ線検出信号の出力は、無線通信または有線通信で行われる。なお、ＦＰＤ１５からの出力信号は、画像処理部２４に転送されるが、ＦＰＤ１５が個別に画像処理部を備えている場合は、主制御部２５に転送される。ＦＰＤ１５は、図２に示すように、車椅子２７に載置された被検体Ｍを撮影する場合、被検体Ｍと車椅子２７の背もたれ部２７ａとの間に配置される。なお、ＦＰＤ１５は、本発明におけるポータブルＸ線検出器に相当する。
【００３０】
図１に戻る。Ｘ線撮影装置１は、制御部２８、表示部２９、入力部３０および記憶部３１を備えている。これら制御部２８、表示部２９、入力部３０および記憶部３１は、例えばパーソナルコンピュータやワークステーションで構成される。なお、制御部２８は、本発明における変更制御部に相当する。
【００３１】
制御部２８は、中央演算処理装置（ＣＰＵ）などで構成される。表示部２９は、モニタ等で構成される。入力部３０は、キーボードやマウス等で構成される。記憶部３１は、ＲＯＭ（Read-only Memory）、ＲＡＭ（Random-Access Memory）またはハードディスク等の記憶媒体で構成される。
【００３２】
記憶部３１は、検査オーダー登録部３２と撮影メニュー記憶部３３とを備えている。検査オーダー登録部３２には、例えば医師から依頼され、ＨＩＳ（病院情報システム）３５およびＲＩＳ（放射線情報システム）３７を経由して転送された検査オーダーが登録される。Ｘ線撮影装置１は、検査オーダー登録部３２に登録された検査オーダーに基づいてＸ線撮影を行う。なお、複数の検査オーダーが転送される場合は、記憶部３１に複数の撮影オーダーを記憶する。そして、所定の撮影オーダーを実行する場合は、記憶部３１に記憶された複数の撮影オーダー（ワークリスト）のうち、所定の検査オーダーを選択して検査オーダー登録部３２に登録するようにしてもよい。また、検査オーダーは、ＨＩＳ３５およびＲＩＳ３７を経由したものに限らず、例えば入力部３０で入力されたものでもよい。
【００３３】
検査オーダーは、患者情報、検査情報および撮影情報で構成される。患者情報は、被検体（患者）の氏名、生年月日、性別などの情報である。検査情報は、検査ＩＤ、検査名（例えば胸腹部の検査）、注意点などの情報である。撮影情報は、１つ以上の撮影メニューで構成される。撮影メニューは、術式、正面または側面などの撮影方向（正面撮影の場合は、さらにＡＰ撮影またはＰＡ撮影）、Ｘ線管２とＦＰＤ１３，１４，１５のいずれか１つのＦＰＤとの距離、Ｘ線照射条件、コリメータ４の照射野サイズ、画像処理（画像の左右反転処理）などの情報である。
【００３４】
撮影メニューの術式としては、標準（初期）設定として例えば、「立位」が設定されている。術式は、Ｘ線管２と、ＦＰＤ１３，１４，１５のいずれか１つのＦＰＤとの組合せを示す。例えば、立位の場合は、Ｘ線管２とＦＰＤ１３とを用いられる。また、臥位の場合は、Ｘ線管２とＦＰＤ１４が用いられる。また、車椅子の場合は、Ｘ線管２とＦＰＤ１５が用いられる。
【００３５】
検査オーダー登録部３２に検査オーダーが登録される際に、検査オーダーの撮影情報に含まれる撮影メニューは、撮影メニュー登録部３２ａに登録される。Ｘ線撮影装置１は、撮影メニュー登録部３２ａに登録された撮影メニューに基づいてＸ線撮影が行われる。撮影メニュー登録部３２ａは、Ｘ線管２とＦＰＤ１３，１４，１５のいずれか１つのＦＰＤとの組合せを示す術式等がプリセットされた１つ以上の撮影メニューを検査（検査オーダー）ごとに登録する。
【００３６】
撮影メニュー記憶部３３には、プリセット（予め設定）された複数の撮影メニューが登録されている。例えば、「臥位胸部ＡＰ撮影」、「臥位胸部側面撮影」、「臥位腹部ＡＰ撮影」、「ポータブル胸部ＡＰ撮影」、「ポータブル胸部側面撮影」、「ポータブル腹部ＡＰ撮影」、「立位胸部ＰＡ撮影」、「立位胸部側面撮影」、「立位腹部ＰＡ撮影」などが登録されている。各撮影メニューにおいて、術式、撮影方向、撮影距離、Ｘ線照射条件、コリメータ４の照射野および画像処理などの設定情報がプリセットされている。
【００３７】
表示部２９には、図３（ａ）に示すように、撮影メニュー操作画面３９が表示され、撮影メニュー操作画面３９には、撮影メニュー登録部３２ａに登録された撮影メニューの名称が表示して操作（編集）するようになっている。撮影メニュー操作画面３９には、「胸腹部の検査」として、例えば、「立位胸部ＰＡ撮影」、「立位胸部側面撮影」、「立位腹部ＰＡ撮影」が表示される。また、撮影メニュー操作画面３９には、追加ボタン４１、変更ボタン４３、削除ボタン４５が設けられている。追加ボタン４１は、新しい撮影メニューを手動で作成するようになっている。変更ボタン４３は、変更ボタン４３と複数のうちいずれか１つの撮影メニューとを選択することで、変更操作の画面に移動し、手動で各設定の変更をするようになっている。削除ボタン４５は、削除ボタン４５と複数のうちいずれか１つの撮影メニューとを選択することで、選択した撮影メニューを削除するようになっている。
【００３８】
また、撮影メニュー操作画面３９には、撮影メニュー変更ボタン４７として、臥位撮影ボタン４８と車椅子撮影ボタン４９とが設けられている。車椅子撮影ボタン４９は、撮影部位（例えば胸部）と被検体Ｍの正面または側面の撮影方向とを維持した状態で、撮影メニュー登録部３２ａに登録された撮影メニューと別の術式等がプリセットされた車椅子撮影用の撮影メニュー（別の撮影メニュー）への変更を指示する。すなわち、図３（ａ）に示す車椅子撮影ボタン４９を選択すると、図３（ｂ）に示す車椅子撮影用の撮影メニューに変更される。臥位撮影ボタン４８は、車椅子撮影ボタン４９も同様に、臥位撮影用の撮影メニューに変更する。
【００３９】
具体的に説明する。車椅子撮影ボタン４９は、車椅子撮影用の撮影メニューへの変更を制御部２８に指示する。車椅子撮影ボタン４９により車椅子撮影用の撮影メニューへの変更が指示されると、制御部２８は、撮影メニュー操作画面３９に表示されている全ての立位撮影用の撮影メニューそれぞれに対して、車椅子撮影用の撮影メニューに変更する。すなわち、制御部２８は、撮影メニュー登録部３２ａに登録された全ての撮影メニューに対して個別に車椅子撮影用の撮影メニューに変更する。制御部２８は、例えば、立位撮影用の撮影メニュー「立位胸部ＰＡ撮影」に対応する「ポータブル胸部ＡＰ撮影」に変更する。
【００４０】
この変更の際、制御部２８は、撮影メニュー登録部３２ａに登録された「立位胸部ＰＡ撮影」を、それに対応する撮影メニュー記憶部３３に記憶された「ポータブル胸部ＡＰ撮影」に変更する。
【００４１】
撮影メニュー操作画面３９に表示された立位撮影用の撮影メニューと、臥位撮影用または車椅子撮影用の撮影メニューとの対応は、図４に示す変換テーブル５１を用いて行う。例えば、「立位胸部ＰＡ撮影」は、「臥位胸部ＡＰ撮影」や「ポータブル胸部ＡＰ撮影」と対応する。この場合、図３（ａ）において、臥位撮影ボタン４８を選択すると、変換テーブル５１によって、標準設定の「立位胸部ＰＡ撮影」と対応する「臥位胸部ＡＰ撮影」が選択される。すなわち、制御部２８は、変換テーブル５１を用いて、撮影メニュー登録部３２ａに登録された「立位胸部ＰＡ撮影」を、それに対応する撮影メニュー記憶部３３に記憶された「臥位胸部ＡＰ撮影」に変更する。
【００４２】
なお、例えば「立位胸部ＰＡ撮影」を「臥位胸部ＡＰ撮影」と変更する場合における変更点を簡単に説明する。立位から臥位と術式を変更すると、Ｘ線管２とＦＰＤ１３との組合せが、Ｘ線管２とＦＰＤ１４との組合せに変更される（図１参照）。また、Ｘ線管２の向きが変更される。すなわち、立位スタンド１６の側方から水平にＸ線照射するような姿勢のＸ線管２を、ベッド装置１７の上方から下向きにＸ線照射するような姿勢に変更される。
【００４３】
また、立位と臥位では、Ｘ線管２とＦＰＤ１３，１４との間の撮影距離が異なる。立位の場合は、例えば１．８〜２．０ｍに設定され、臥位の場合は、例えば１．０〜１．３ｍに設定される。撮影距離（すなわちＸ線管２等の位置が変わる）が変わると、Ｘ線照射条件も変える必要があり、また、コリメータ４の照射野サイズも変える必要が生じる。また、立位胸部撮影の場合は、通常、正面撮影のＰＡ撮影が設定されるが、臥位撮影の場合は、正面撮影のＡＰ撮影が設定される。また例えば、ＰＡ撮影の際に、画像処理で取得した画像に左右反転処理を行うようにしていた設定を、左右反転処理をしない設定にする。このように、撮影メニューを変更すると、術式や、術式の変更に伴う設定、すなわち、撮影方向、撮影距離、Ｘ線照射条件、コリメータ４の照射野および画像処理などが変更される。なお、車椅子撮影用の撮影メニューは、所定の位置で固定させるなど一定の状態にして設定される。
【００４４】
次に、図５のフローチャートを参照してＸ線撮影装置１の動作について説明する。
【００４５】
〔ステップＳ０１〕検査オーダーの登録
例えば医師は、被検体Ｍの胸腹部の検査をＨＩＳ３５に依頼する（図１参照）。依頼された胸腹部の検査オーダーは、放射線科および整形外科などのＲＩＳのうち、放射線科のＲＩＳ３７に転送される。ＲＩＳ３７は、複数ある装置（例えば複数のＸ線撮影装置やＣＴ装置が挙げられる）のうち、Ｘ線撮影装置１に検査オーダーを振り分けて転送する。転送された撮影オーダーは、検査オーダー登録部３２に登録される。この際、検査オーダーの撮影情報に含まれる撮影メニューは、撮影メニュー登録部３２ａに登録される。
【００４６】
〔ステップＳ０２〕撮影メニューの変更の必要有無
操作者は、撮影メニューの変更が必要な場合、撮影メニューを被検体の状態に合わせて変更する。撮影メニューの変更が必要な場合は、ステップＳ０３へ進む。撮影メニューの変更が不必要な場合は、ステップＳ０４へ進む。
【００４７】
〔ステップＳ０３〕撮影メニューの変更処理
例えば、被検体Ｍが車椅子２７に載置されている場合、操作者は、表示部２９に表示された撮影メニュー操作画面３９を操作して、標準設定の立位撮影用の撮影メニューを車椅子撮影用の撮影メニューに変更する。操作者は、撮影メニュー操作画面３９を入力部３０から操作し、車椅子撮影ボタン４９を選択する。
【００４８】
車椅子撮影ボタン４９は、例えば胸部または腹部と、被検体Ｍの正面または側面の撮影方向とを維持した状態で、撮影メニュー登録部３２ａに登録された撮影メニューと別の術式等がプリセットされた車椅子撮影用の撮影メニューへの変更を指示する。
【００４９】
車椅子撮影ボタン４９により車椅子撮影用の撮影メニューへの変更が指示されると、制御部２８は、変換テーブル５１を用いて、撮影メニュー操作画面３９に表示されている全ての立位撮影用の撮影メニューそれぞれに対して、撮影メニュー記憶部３３に記憶された車椅子撮影用の撮影メニューに変更する。例えば、制御部２８は、立位撮影用の撮影メニュー「立位胸部ＰＡ撮影」に対応する「ポータブル胸部ＡＰ撮影」に変更する。
【００５０】
〔ステップＳ０４〕Ｘ線撮影
撮影メニューが車椅子撮影用に変更されると、例えば「ポータブル胸部ＡＰ撮影」、「ポータブル胸部側面撮影」、「ポータブル腹部ＡＰ撮影」の撮影メニューの順番でＸ線撮影を行う。先ず、操作者は、入力部３０の図示しない設定変更ボタンを押下することにより、撮影メニューで設定された情報が反映され、Ｘ線管２等が設定された位置に移動する。なお、立位や臥位撮影の場合はＦＰＤ１３，１４も移動する。撮影準備が終わると、操作者は、図示しない照射（曝射）ボタンを押下して、Ｘ線撮影を行う。Ｘ線撮影して取得した画像は、表示部２９に表示され、また、記憶部３１に記憶される。
【００５１】
本実施例に係るＸ線撮影装置１によれば、撮影メニュー登録部３２ａには、Ｘ線管２とＦＰＤ１３，１４，１５のいずれか１つのＦＰＤとの組合せを示す術式等がプリセットされた１つ以上の撮影メニューが検査ごとに登録される。表示部２９には、撮影メニューを表示して操作する撮影メニュー操作画面３９が表示される。撮影メニュー変更ボタン４７は、撮影部位を維持した状態で、立位撮影用の撮影メニューと別の術式がプリセットされた別の撮影メニューへの変更を指示する。撮影メニュー変更ボタン４７により別の撮影メニューへの変更が指示されると、制御部２８は、撮影メニュー操作画面３９に表示されている全ての立位撮影用の撮影メニューそれぞれに対して、別の撮影メニューに変更する。
【００５２】
すなわち、撮影部位を維持した状態で、立位撮影用の撮影メニューと別の術式がプリセットされた別の撮影メニューへの変更を指示する撮影メニュー変更ボタン４７を備えている。撮影メニュー変更ボタン４７により別の撮影メニューへの変更が指示されると、制御部２８は、撮影メニュー操作画面３９に表示されている全ての撮影メニューそれぞれに対して、別の撮影メニューに変更する。そのため、撮影メニューを変更する場合、撮影メニュー内の設定を手動で変更せずに、全ての撮影メニューそれぞれに対して、プリセットされた別の撮影メニューに変更するので、変更が容易である。また、撮影メニュー内の各設定を手動で変更しないので、その際に生じる設定ミスを軽減させることができる。したがって、作業効率が向上し、設定ミスを軽減させることができる。
【００５３】
また、図６に示すように、撮影メニュー操作画面に、立位撮影用、臥位撮影用、および車椅子撮影用の撮影メニューを設けることも可能である。しかしながら、撮影メニューが増えることになる。そのため、立位撮影以外の撮影メニューを使用する場合に限らず、通常の立位撮影の場合においても、撮影メニューが増えることにより、操作者による設定ミスを発生してしまうおそれがある。本実施例では、検査で必要な撮影メニューのみを表示させ、また、撮影メニュー変更ボタン４７を備えて、被検体の状態に合わせて撮影メニューを変更するようにしている。これにより、変更は容易にできるので作業効率が向上し、検査に必要な撮影メニューのみ表示させるとともに、撮影メニュー内の設定を手動で行う際に生じる設定ミスを防ぐので、設定ミスを軽減できる。
【００５４】
また、制御部２８は、変換テーブル５１を用いて、全ての撮影メニューそれぞれに対して、撮影メニュー記憶部３３に記憶された例えば車椅子撮影用の撮影メニューに変更することができる。プリセットされた車椅子撮影用の撮影メニューは、撮影メニュー記憶部３３に記憶されている。そのため、変換テーブル５１を用いて、その撮影メニューを読み出して変更することができ、変更が容易である。これにより、作業効率が向上し、撮影メニュー内の各設定を手動で変更しないので設定ミスを軽減させることができる。
【００５５】
また、撮影メニュー操作画面３９に撮影メニュー変更ボタン４７が設けられているので、撮影メニューの変更前後の状態を確認しながら行うことができ、撮影メニュー操作画面３９以外での操作による誤操作を抑えることができる。
【００５６】
本発明は、上記実施形態に限られることはなく、下記のように変形実施することができる。
【００５７】
（１）上述した実施例では、標準設定の立位撮影用の撮影メニューを、臥位撮影用および車椅子撮影用のいずれか一方の撮影メニューに変更していたが、これに限定されない。例えば、図７（ａ）に示すように、ストレッチャー５３に載置された被検体Ｍを撮影するようにしてもよい。この場合、ストレッチャー撮影用の撮影メニューは、撮影メニュー記憶部３３に記憶される。図７（ａ）に示すように臥位の被検体Ｍを撮影する場合は、例えば、「ポータブル２胸部ＡＰ撮影」、「ポータブル２胸部側面撮影」、「ポータブル２腹部ＡＰ撮影」として、プリセットされたストレッチャー撮影用の撮影メニューを撮影メニュー記憶部３３に記憶させておいてもよい。ストレッチャー撮影用の撮影メニューは、ストレッチャー５３を所定の位置で固定させるなど一定の状態にして設定される。
【００５８】
また、図７（ｂ）に示すように、撮影メニュー操作画面３９には、ストレッチャー撮影用の撮影メニューへの変更を指示するストレッチャー撮影ボタン５５が設けられる。この場合、図７（ａ）に示すように、ＦＰＤ１５は、被検体Ｍとストレッチャーの天板５７との間に配置される。また、術式は、Ｘ線管２とＦＰＤ１５との組合せである。なお、図７（ａ）では、被検体Ｍは臥位の状態であるが、天板５７の背もたれ部５７ａを起こした状態で撮影するように、ストレッチャー撮影用の撮影メニューを設定してもよい。
【００５９】
（２）上述した実施例および変形例（１）では、図３（ｂ）に示すように、車椅子撮影用の撮影メニューに変更後も臥位撮影ボタン４８や車椅子撮影ボタン４９を選択できるように表示しているが、これに限定されない。例えば、図８に示すように、臥位撮影ボタン４８や車椅子撮影ボタン４９は、別の撮影メニューに変更された場合、撮影メニュー操作画面３９から消去するようにしてもよい。すなわち、制御部２８は、別の撮影メニューに変更された場合、撮影メニュー操作画面３９から臥位撮影ボタン４８や車椅子撮影ボタン４９を消去する。これにより、別の撮影メニューに変更された後に、臥位撮影ボタン４８や車椅子撮影ボタン４９を操作してしまうことによる設定ミスを防ぐことができる。
【００６０】
（３）上述した実施例および各変形例では、撮影メニュー操作画面３９に臥位撮影ボタン４８や車椅子撮影ボタン４９等が設けられているが、これに限定されない。例えば、入力部３０に臥位撮影ボタンや車椅子撮影ボタン等のボタンスイッチを設けてもよい。
【００６１】
（４）上述した実施例および各変形例では、転送される検査オーダーの撮影情報に含まれる撮影メニューは、それぞれ、術式、撮影方向、撮影距離、Ｘ線照射条件、コリメータ４の照射野および画像処理などの設定情報を有している。しかしながら、転送される検査オーダーの撮影情報に含まれる撮影メニューは、プロトコルコードと呼ばれる番号情報を有することで撮影メニューを識別するようにしてもよい。
【００６２】
例えば、転送された検査オーダーが検査オーダー登録部３２に登録されると、プロトコルコードに応じた標準設定の撮影メニューを撮影メニュー記憶部３３から取得するようにしてもよい。例えば、「立位胸部ＰＡ撮影」を「２０１」、「立位胸部側面撮影」を「２０２」、「立位腹部ＰＡ撮影」を「２０３」と、プロトコルコードが与えられている場合には、制御部２８は、それらのプロトコルコードに対応したプリセットされた撮影メニュー（術式、撮影方向、撮影距離、Ｘ線照射条件、コリメータ４の照射野および画像処理などの設定情報を有する）がそれぞれ読み出されて、検査オーダー登録部３２の撮影メニュー登録部３２ａに登録される。これにより、Ｘ線撮影装置ごとに撮影メニュー内の設定に違いがあっても、Ｘ線撮影装置ごとに最適な撮影メニューを設定することができる。
【００６３】
（５）上述した実施例および各変形例では、標準設定の撮影メニューとして、立位撮影用の撮影メニューが設定されていたが、これに限定されない。例えば、臥位撮影用の撮影メニューを、標準設定の撮影メニューとして設定してもよい。この場合、図３（ａ）において、撮影メニュー操作画面３９に、臥位撮影ボタン４８に換えて、立位撮影ボタンを設けるようにしてもよい。
【００６４】
（６）上述した実施例および各変形例では、Ｘ線撮影装置１は、１つのＸ線管２と、このＸ線管２を支持するＸ線管支持部３とを備えていたが、Ｘ線撮影装置は、複数のＸ線管と、これを個別に支持するＸ線管と同数のＸ線管支持部とを備えていてもよい。例えば、Ｘ線撮影装置は、Ｘ線管２およびＸ線管保持部３に加えて、もう１組のＸ線管およびＸ線管保持部を備えてもよい。
【００６５】
（７）上述した実施例および各変形例では、Ｘ線検出器として、ＦＰＤを用いたが、例えば、イメージングプレートＩＰやフィルムカセッテを用いてもよい。
【００６６】
（８）上述した実施例および各変形例では、Ｘ線管保持部３は、天井懸架式であったが、床上にレールを設けて、Ｘ線管を取り付ける支柱部をそのレールに移動可能に設けた床上走行式のＸ線管保持部であってもよい。この場合、Ｘ線管は支柱部に上下方向に移動可能に取り付けられる。
【符号の説明】
【００６７】
１    …  Ｘ線撮影装置
２    …  Ｘ線管
１３，１４，１５  …  フラットパネル型Ｘ線検出器（ＦＰＤ）
１６  …  立位スタンド
１７  …  ベッド装置
２５  …  主制御部
２７  …  車椅子
２８  …  制御部
２９  …  表示部
３０  …  入力部
３１  …  記憶部
３２  …  検査オーダー登録部
３２ａ…  撮影メニュー登録部
３３  …  撮影メニュー記憶部
３９  …  撮影メニュー操作画面
４７  …  撮影メニュー変更ボタン
４８  …  臥位撮影ボタン
４９  …  車椅子撮影ボタン
５１  …  変換テーブル
５３  …  ストレッチャー
５５  …  ストレッチャー撮影ボタン
【図１】
2015019844.tif 000003
【図２】
2015019844.tif 000004
【図３】
2015019844.tif 000005
【図４】
2015019844.tif 000006
【図５】
2015019844.tif 000007
【図６】
2015019844.tif 000008
【図７】
2015019844.tif 000009
【図８】
2015019844.tif 000010
【図９】
2015019844.tif 000011
【図１０】
2015019844.tif 000012